(57)【要約】【課題】金属製の胴部外殻が高温になることがなく、加熱コイルの高温化を防止することが可能な電磁誘導加熱式炊飯器を提供する。【解決手段】保護枠１２の外面に加熱コイルを配し、この加熱コイルと金属製の胴部外殻１との間に防磁板を備えた電磁誘導加熱式炊飯器において、前記加熱コイルを、少なくとも保護枠１２外面に配した第１加熱コイル帯２２と、この第１加熱コイル帯２２と空白域を介して前記保護枠１２外面に配した第２加熱コイル帯２３とから構成し、前記防磁板を、前記第１加熱コイル帯２２と間隙をもって対向する第１防磁板３３と、前記第２加熱コイル帯２３と間隙をもって臨み、かつ前記胴部外殻１と離間するように配した第２防磁板２５、２５とから構成し、前記空白域外方を開放した構成とした。【選択図】図６
2006020957.tif 000002
【特許請求の範囲】
【請求項１】
保護枠の外面に加熱コイルを配し、この加熱コイルと金属製の胴部外殻との間に防磁板を備えた電磁誘導加熱式炊飯器において、前記加熱コイルを、少なくとも保護枠外面に配した第１加熱コイル帯と、この第１加熱コイル帯と空白域を介して前記保護枠外面に配した第２加熱コイル帯とから構成し、前記防磁板を、前記第１加熱コイル帯と間隙をもって対向する第１防磁板と、前記第２加熱コイル帯と間隙をもって臨み、かつ前記胴部外殻と離間するように配した第２防磁板とから構成し、前記空白域外方を開放したことを特徴とする電磁誘導加熱式炊飯器。
【請求項２】
前記第２防磁板を前記保護枠の両側に配し、両防磁板をリード線で接続して両防磁板を介するフリーホイール回路を設けたことを特徴とする請求項１に記載の電磁誘導加熱式炊飯器。
【発明の詳細な説明】
【技術分野】
【０００１】
この発明は、電磁誘導加熱式炊飯器に関する。
【背景技術】
【０００２】
従来から、炊飯鍋を載せる保護枠の外面に加熱コイルを配し、この加熱コイルと胴部外殻の内側面との間に防磁板を備えた電磁誘導加熱式炊飯器がある（特許文献１）。防磁板は、加熱コイルを取り囲むように設けられた環状の金属板からなり、胴部外殻の内周面に固着されている。このように防磁板を設けるのは、加熱コイルの生じる磁束により防磁板に電流を誘起させ、この電流により防磁板から加熱コイルと逆向きの磁束を発生させ、加熱コイルの漏れ磁束を低減させるためである。
【０００３】
【特許文献１】特許第２６２１３７９号公報（図７、第６欄参照）
【発明の開示】
【発明が解決しようとする課題】
【０００４】
しかしながら、特許文献１に記載のものは、防磁板を胴部外殻の内周面に固定しているので、電流の誘起に伴い防磁板に生じるジュール熱が胴部外殻に伝わる構造となっている。このため、胴部外殻を金属製にすると、ご飯が炊き上がるころには、手で触れると熱く感じる程に胴部外殻が高温になるという問題を生じる。
【０００５】
この問題を避けるため、防磁板を保護枠の底面から側面に亘って覆うように保護枠に取り付けることも考えられる。しかし、この場合、加熱コイルと防磁板の距離が近づく分、加熱コイルの温度が不要に高くなり易い。
【０００６】
そこで、この発明の課題は、金属製の胴部外殻が高温になることがなく、加熱コイルの高温化を防止することが可能な電磁誘導加熱式炊飯器を提供することにある。
【課題を解決するための手段】
【０００７】
上記の課題を解決するため、この発明は、保護枠の外面に加熱コイルを配し、この加熱コイルと金属製の胴部外殻との間に防磁板を備えた電磁誘導加熱式炊飯器において、前記加熱コイルを、少なくとも保護枠外面に配した第１加熱コイル帯と、この第１加熱コイル帯と空白域を介して前記保護枠外面に配した第２加熱コイル帯とから構成し、前記防磁板を、前記第１加熱コイル帯と間隙をもって対向する第１防磁板と、前記第２加熱コイル帯と間隙をもって臨み、かつ前記胴部外殻と離間するように配した第２防磁板とから構成し、前記空白域外方を開放した構成とした。
【０００８】
上記構成によれば、前記加熱コイルを、少なくとも保護枠外面に配した第１加熱コイル帯と、この第１加熱コイル帯と空白域を介して前記保護枠外面に配した第２加熱コイル帯とから構成し、前記防磁板を、前記第１加熱コイル帯と間隙をもって対向する第１防磁板と、前記第２加熱コイル帯と間隙をもって臨み、かつ前記胴部外殻と離間するように配した第２防磁板とから構成し、前記空白域外方を開放したので、前記防磁板が発熱しても、前記胴部外殻に伝熱することが防止される。また、前記加熱コイルや前記防磁板の熱が、前記第１防磁板と前記保護枠の間と、前記第２防磁板と前記保護枠の間とで対流を生じ易くなり、前記空白域外方の開放部分から逃げ易くなる。これにより、熱が前記加熱コイル付近にこもり難くなり、前記加熱コイルが不要に高温になることも防止される。
【０００９】
なお、上記構成においては、前記第２防磁板を前記保護枠の両側に配し、両防磁板をリード線で接続して両防磁板を介するフリーホイール回路を設けることができる。
【発明の効果】
【００１０】
上述のように、この発明によれば、胴部外殻に至る加熱コイルの磁束を低減されるので、金属製の胴部外殻を用いても胴部外殻が高温になることがなく、加熱コイルの高温化を防止することが可能な電磁誘導加熱式炊飯器を提供することができる。
【発明を実施するための最良の形態】
【００１１】
以下、この発明の最良の実施形態に係る電磁誘導加熱式炊飯器を、図１〜図６に基づいて説明する。図１に縦断側面、図２に全体斜視を示した電磁誘導加熱式炊飯器は、金属製の胴部外殻１と、この胴部外殻１に上方から嵌合された樹脂製の肩部外殻２と、胴部外殻１の底面を閉塞する底体３とにより本体外殻を構成し、この本体外殻内に炊飯鍋４を収容するものである。
【００１２】
肩部外殻２の上端面前方には、炊飯器の操作パネル部５が設置され、肩部外殻２の後端には、蓋体６がヒンジ７により開閉自在に取り付けられている。蓋体６は、肩部外殻２の開放口を閉塞するように設けられ、ヒンジばね（図示省略）により開方向へ付勢されると共に、フック８により肩部外殻２に係止される。
【００１３】
肩部外殻２の開放口には、炊飯鍋４の鍋縁９を受ける鍔部１０が設けられており、この鍔部１０の内周面には、筒状の内胴１１が取り付けられている。内胴１１の下端には、平底椀状に形成された保護枠１２が上下に嵌合されている。炊飯鍋４は、鍔部１０と内胴１１と保護枠１２とからなる設置スペースに納められる。
【００１４】
また、胴部外殻１内には、ヒンジ７の下方に、コードリールなどの電源入力部１３が配置されていると共に、操作パネル部５の下方に、誘導加熱回路の制御基板１４と、この制御基板１４を冷却する送風ファン１５とが配置されている。ここで、制御基板１４は、金属製の胴部外殻１に対し絶縁距離内に配置されているため、胴部外殻１の凹入変形によって制御基板１４と胴部外殻１とが電気的に接触しないように配慮する必要がある。そこで、図３（ａ）（ｂ）に示すように、樹脂製の基板ホルダ１６を延設することにより制御基板１４の充電部１７を覆うカバーリブ１８が設けられており、充電部１７と胴部外殻１との確実な絶縁が図られている。
【００１５】
図４、図５に示すように、保護枠１２は、椀縁にフランジ部１９が形成されている。このフランジ部１９には、螺子挿通部２０が正方配置で設けられている。一方、底体３の内面には、螺子挿通部２０に対応する螺子孔部２１が突設されている。保護枠１２は、螺子挿通部２０を介して螺子孔部２１に螺子止めされており、螺子孔部２１により胴部外殻１および底体３と離間するように中空に支持されている。
【００１６】
保護枠１２の平底部外面には、第１加熱コイル帯２２が配されており、この第１加熱コイル帯２２と空白域を介して、保護枠１２の湾曲側面には、第２加熱コイル帯２３が配されている。なお、空白域を加熱コイルの完全な空白帯とする必要はない。例えば、第１加熱コイル帯２２と第２加熱コイル帯２３とを連続的に保護枠１２の外面上に巻回するため、両加熱コイル帯間を亘る加熱コイル部分が空白域を通されることは許容される。
【００１７】
第１加熱コイル帯２２および第２加熱コイル帯２３の外方には、底面視で十字状のフェライト保持枠２４が配されている。また、保護枠１２の両側には、防磁板２５、２５（第２防磁板）が、フェライト保持枠２４よりも外方において、第２加熱コイル帯２３と間隙をもって臨み、かつ胴部外殻１と離間するように配されている。
【００１８】
より具体的に述べると、防磁板２５は、平板部２６と傾斜板部２７とを有するアルミ合金板からなる。なお、防磁板２５には、銅板など、非透磁性の金属を用いることができる。平板部２６は、前後の螺子孔部２１、２１間で第２加熱コイル帯２３を胴部外殻１の側面に対して遮蔽するように設けられており、保護枠１２に設けられた差込み部に挟持される。差込み部は、フランジ部１９の下面に形成されており、平板部２６を垂下するように挟む一対の挟持リブ２８と、一対の挟持リブ２８間において平板部２６を内方へ押さえる突リブ２９とからなる。
【００１９】
一方、傾斜板部２７は、保護枠１２を螺子孔部２１に螺子止めした状態で底体内面の押し当て部３０に押し付けられる（図６参照）。この状態において、防磁板２５は、保護枠１２の螺子止めすることにより保護枠１２と底体内面とにより上下に挟持され、固定状態となる。なお、防磁板２５を螺子等で保護枠１２に固定してもよい。
【００２０】
また、図６に示すように、傾斜板部２７は、上記の固定状態において、第２加熱コイル帯２３と概ね一定の間隙を保つように内方へ傾き、かつ第２加熱コイル帯２３の下端３１まで臨むように設けられている。
【００２１】
空白域外方は、保護枠１２の下方に設けられた空間と連通するように開放されている。この開放部分から保護枠１２の下方に逃げた熱は、送風ファン１５の駆動に伴って保護枠１２付近に生じる前後方向の空気流により運ばれ、底体３に形成された通気口３２から排される。
【００２２】
さらに、保護枠１２の平底部外面の下方には、第１加熱コイル帯２３の磁束が外部へ漏洩することを防止するため、第１加熱コイル帯２３に間隙をもって対向する平円板状の底面防磁板３３（第１防磁板）が設置されている。
【００２３】
また、両防磁板２５、２５は、平板部２６の前端側同士、および、後端側同士がリード線３４、３４で接続されている。これにより、両防磁板を介するフリーホイール回路が設けられるので、両加熱コイル帯への通電遮断時に防磁板２５にスパークが生じることが防止される。また、両加熱コイル帯が通電時には、防磁板２５、２５に誘起された電流がリード線３４、３４にも流れるので、リード線３４、３４の周りに磁界が形成される。このリード線３４の生じる磁界により、両加熱コイル帯の生じる磁束が保護枠１２側に曲げられるので、保護枠１２の前後方向における漏れ磁束が低減される。
【図面の簡単な説明】
【００２４】
【図１】実施形態に係る電磁誘導加熱式炊飯器の縦断側面図。
【図２】同上の全体斜視図。
【図３】（ａ）同上の肩部外殻部分の分解斜視図。（ｂ）図３（ａ）のＢ−Ｂ線の部分拡大断面図。
【図４】同上の胴部外殻部分の分解斜視図。
【図５】同上の保護枠部分の分解斜視図。
【図６】同上の保護枠部分の拡大縦断前面図。
【符号の説明】
【００２５】
１  胴部外殻
２  肩部外殻
３  底体
４  炊飯鍋
５  操作パネル部
６  蓋体
７  ヒンジ
８  フック
９  鍋縁
１０  鍔部
１１  内胴
１２  保護枠
１３  電源入力部
１４  制御基板
１５  送風ファン
１６  基板ホルダ
１７  充電部
１８  カバーリブ
１９  フランジ部
２０  螺子挿通部
２１  螺子孔部
２２  第１加熱コイル帯
２３  第２加熱コイル帯
２４  フェライト保持枠
２５  防磁板（第２防磁板）
２６  平板部
２７  傾斜板部
２８  挟持リブ
２９  突リブ
３０  押し当て部
３１  下端
３２  通気口
３３  底面防磁板（第１防磁板）
【図１】
2006020957.tif 000003
【図２】
2006020957.tif 000004
【図３】
2006020957.tif 000005
【図４】
2006020957.tif 000006
【図５】
2006020957.tif 000007
【図６】
2006020957.tif 000008